(57)【要約】【課題】本発明の目的は、エレベーターの標準設備であるかご内インターホンを用いて、エレベーターの走行中の異常音を検知し、かつ音楽等を放送することで、お客様からの電話呼び出しを低減できる、エレベーターの放送装置を提供することにある。【解決手段】エレベーターかご１内にスピーカ３とマイク４を備えたインターホン子機２を備え、機械室５にインターホン制御装置９と、異常音判断手段１０と、放送装置１２を備えることにより、エレベーターの標準設備であるかご内インターホン子機２のマイク４を用いてエレベーターの走行中の異常音を検知した場合に、スピーカー３より音楽等を放送することで、走行中の異常音をかき消し、お客様からの電話呼び出しを低減することができる。【選択図】図１
2013227099.tif 000002
【特許請求の範囲】
【請求項１】
スピーカーとマイクを備えたインターホン子機が設けられたかごと、監視センターと通信を行う監視装置と、エレベーター制御手段と、時計装置と、インターホン制御装置と、異常音判断手段と、インターホン親機と、放送装置が設けられた機械室と、を備え、前記監視装置は、電話回線を介して遠隔地に設置された監視センターと接続されるエレベーターの放送装置において、異常音自動診断運転時に、走行中の異常音をかご内インターホンのマイクから検出した場合に音楽等をかご内インターホンのスピーカーから放送することを特徴とするエレベーターの放送装置。
【請求項２】
請求項１に記載のエレベーターの放送装置において、異常音自動診断運転時や保守運転時またはかご内インターホンの通報ボタンが押された場合の少なくとも一つが実行されている場合は、放送を停止することを特徴とするエレベーターの放送装置。
【発明の詳細な説明】
【技術分野】
【０００１】
本発明はエレベーターの走行中に発生する異常音を監視し、音楽等の放送を行う、エレベーターの放送装置に関する。
【背景技術】
【０００２】
特開平４−２５２３５号公報にて、遠隔監視診断用電話回線ネットワークシステムを用いて楽譜情報を伝送し、再生音楽の出力をエレベーターかご内インターホンより行うことにより、エレベーター設置ビルのオーナ等の依頼に応じて、エレベーターかご、ホールへの音楽出力を実現する、音楽情報サービス方式が知られている。
【０００３】
また、特開２００２−３７５６１号公報にて、エレベーターかご内インターホンを利用し、点検運転時にこのインターホンの出力から異常音を判断し、監視センターへ通報する、エレベーターの異常音監視装置が知られている。
【先行技術文献】
【特許文献】
【０００４】
【特許文献１】特開平４−２５２３５号公報
【特許文献２】特開２００２−３７５６１号公報
【発明の概要】
【発明が解決しようとする課題】
【０００５】
エレベーターは、機構部品の油切れや埃等により、かご内に走行音等の異常音が聞こえてしまう場合があり、お客様に不安感を抱かせ、お客様からの電話呼び出しにて改善依頼を受けることが多い。
【０００６】
特開２００２−３７５６１号公報による従来技術においては、エレベーターかご内インターホンを利用することで、専用の機器を設けることなく走行中の異常音を検出し、監視センターへ通報することができるが、修理対応する前に乗客が走行中の異常音に気づいた場合は、上記問題が発生する。
【０００７】
本発明の目的は、上記エレベーターの異常音監視と、音楽情報サービス方式を連動させることで、お客様が気付く前に保守会社の作業員が対応し、お客様の不安感の解消及び電話呼び出しを低減させる、エレベーター用放送装置を提供することにある。
【課題を解決するための手段】
【０００８】
本発明は上記目的を達成するために、スピーカーとマイクを備えたインターホン子機が設けられたかごと、監視センターと通信を行う監視装置と、エレベーター制御手段と、時計装置と、インターホン制御装置と、異常音判断手段と、インターホン親機と、放送装置が設けられた機械室と、を備え、前記監視装置は電話回線を介して遠隔地に設置された監視センターと接続されるエレベーターの放送装置において、異常音自動診断運転時に、走行中の異常音をかご内インターホンのマイクから検出した場合に音楽等をかご内インターホンのスピーカーから放送することを特徴とする。
【発明の効果】
【０００９】
本発明により、エレベーターの標準設備であるかご内インターホンを用いて、エレベーターの走行中の異常音を検知した場合に、音楽等を放送することで、走行中の異常音をかき消し、お客様の不安感の解消と電話呼び出しを低減することができる。
【図面の簡単な説明】
【００１０】
【図１】本発明のシステム構成を示すブロック図である。
【図２】本発明による異常音検知から音楽等放送までのフローチャートである。
【発明を実施するための形態】
【００１１】
以下、本発明の実施形態を図面により説明する。図１、２は本発明の一実施の形態を示す図で、図１はシステム構成を示すブロック図、図２は異常音検知から音楽等放送までのフローチャートである。
【００１２】
図１において、昇降路内を走行するエレベーターのかご１は、音声や音楽や出力するスピーカー３と音声や周囲の音を検出するマイク４を備えたインターホン子機２と、保守員が点検時に操作する保守用スイッチ１６を備えたエレベーターかご内操作盤１５が設けられている。
【００１３】
エレベーターの駆動装置や制御装置を設置した機械室５には、電話回線１３を介して接続された監視センター１４へ検出したエレベーターの異常通報や監視センターからの情報を受信する監視装置６と、エレベーターの運行を制御するエレベーター制御手段７と、設定した時刻に異常音自動診断運転を開始するよう設定できる時計装置８があり、設定した時刻になるとエレベーター制御手段７に信号を出力し、エレベーターを往復走行させる異常音自動診断運転を実施させる。
【００１４】
異常音自動診断運転時、インターホン子機２と各装置を接続し、インターホン子機２を制御するインターホン制御装置９は、マイク４を介して検知した音が正常か異常かを判断する異常音判断手段１０を動作させ、異常と判断した場合スピーカー３を介して、かご１内への音楽放送を制御する放送装置１２が設けられている。また、インターホン制御装置９には、インターホン子機２を介してかご１内部と通話ができるインターホン親機１１が設けられている。
【００１５】
次に、この実施例を図２を参照して説明する。かご１内のインターホン子機２は非常時の通話用に設けられたもので、かご１内の乗客はインターホン子機２により、インターホン制御手段９を介して機械室５のインターホン親機１１や図示しない管理人室のインターホン親機を使用して、図示しない第３者と通話することができる。
次に、異常音自動診断運転の開始時刻が、ほとんど利用者がいない時刻、例えば深夜の２時に予め設定されているとする。
【００１６】
ステップＳ１で、監視センター１４より電話回線１３を介して放送装置１２へ音楽情報を伝送しておく。
【００１７】
ステップＳ２で、インターホン子機２の通報釦が押されたか否かを判定し、押された場合は（ステップＳ２でＹＥＳ），放送装置１２はステップＳ１０で放送を停止し、通話の阻害を防止する。
【００１８】
押されなかった場合は（ステップＳ２でＮＯ) 、ステップＳ３で、保守運転中か否かを判断する。保守作業員がエレベーターかご内操作盤１５内の保守運転用スイッチ１６を投入している場合、エレベーター制御手段７は保守運転に設定し、保守作業員は点検作業を実施する。点検中の場合は（ステップＳ３でＹＥＳ),ステッープＳ１０で放送装置１２は放送を停止し、点検作業の阻害を防止する。
【００１９】
また、予め設定した深夜の２時になると、時計装置８は信号をエレベーター制御手段７へ出力し、異常音自動診断運転を開始する。
【００２０】
ステップＳ３でＮＯの場合、ステップ６で、この異常音自動診断運転中か否かを確認する。
【００２１】
異常音自動診断運転中であると判断した場合は、異常音診断の精度を向上させるため、放送装置１２はステップＳ５で放送を停止し、異常音自動診断の阻害を防止する。
【００２２】
ステップＳ６で、異常音判断手段１０が異常音を検知した場合、ステーツプＳ７で異常音判断手段１０は異常音の検出日時、検出した際のかご位置等の運行状況などを記録するとともに、ステップＳ８で監視装置６から電話回線１３を介して、監視センター１４に異常を通報する。
【００２３】
放送装置１２はステップＳ９で、インターホン制御手段９を介し、スピーカー３より音楽等を放送する。
【００２４】
ここで、ステップＳ４で異常音自動診断運転中で無い場合、およびステップＳ６で異常音を検知していない場合は、何も処理しない。
【００２５】
以上により、エレベーターの標準設備であるかご内インターホン子機２のマイク４を用いて、異常音自動診断運転によりエレベーターの走行中の異常音を検知した場合に、スピーカー３より音楽等を放送することで、走行中の異常音をかき消し、お客様の不安感の解消と電話呼び出しを低減することができる。
【符号の説明】
【００２６】
１    エレベーターのかご
２    インターホン子機
３    スピーカー
４    マイク
５    エレベーターの機械室
６    監視装置
７    エレベーター制御手段
８    時計装置
９    インターホン制御手段
１０  異常音判断手段
１１  インターホン親機
１２  放送装置
１３  電話回線
１４  監視センター
１５  エレベーターかご内操作盤
１６  保守用スイッチ
【図１】
2013227099.tif 000003
【図２】
2013227099.tif 000004